(57)【要約】      （修正有）【課題】超音波洗浄機能を有し、機械加工部品、実験用ガラス器具の洗浄、レストランなどでの食器、調理具、野菜、果物等の洗浄に利用でき、低コストで、かつ超音波の均一性を向上した超音波洗浄流し台を提供する。【解決手段】超音波洗浄流し台１００は、底面に排水口１３が形成された貯水槽１１からなるシンク１０と、シンクの底面又は側面に配置された複数の超音波振動子２０と、シンクの下方又は側方に配置され、超音波振動子を振動する超音波発振器３０とを備えている。【選択図】図１
0003187670.tif 000002
【実用新案登録請求の範囲】
【請求項１】
底面に排水口が形成された貯水槽からなるシンクと、
前記シンクの底面又は側面に配置された複数の超音波振動子と、
前記シンクの下方又は側方に配置され、前記超音波振動子を駆動する超音波発振器とを備え、
前記超音波発振器は、前記シンクの下方又は側方に形成された収納部に収納され、該収納部は前記超音波振動子を覆うように形成されていることを特徴とする超音波洗浄流し台。
【請求項２】
前記排水口は前記シンクの底面のほぼ中央部に形成され、前記シンクの底面は、周辺から中央に向かって下方へ所定角度で傾斜して形成されていることを特徴とする請求項１に記載の超音波洗浄流し台。
【請求項３】
前記シンクの底面又は側面の前記超音波振動子が配置すべく位置の表面が所定の表面粗さを有するように表面処理され、
前記超音波振動子は、前記シンクの底面又は側面の前記表面に貼着されることを特徴とする請求項１に記載の超音波洗浄流し台。
【請求項４】
前記シンクは、洗浄液をオーバーフローさせる溢水口が形成されていることを特徴とする請求項１から３のいずれかに記載の超音波洗浄流し台。
【考案の詳細な説明】
【技術分野】
【０００１】  本考案は、超音波洗浄機能を有し、機械加工部品、実験用ガラス器具の洗浄、レストランなどでの食器、調理具、野菜、果物等の洗浄に利用できる超音波洗浄流し台に関する。
【背景技術】
【０００２】  流し台は上側に上向きに開放された水が貯留できるシンクを有し、このシンクの底面に排水孔が形成されており、その排水孔を通じて洗浄水が外部に排出できるように構成されている。【０００３】  従来、このような流し台では、食器、調理具、野菜等の洗浄に利用されている。そのため、一般には洗剤や石鹸などを用いて手洗いにより食器、調理具、野菜等の洗浄が行われている。近年、洗浄効果を向上するために、超音波洗浄機能を有するシンクが提案された（特許文献１）。
【先行技術文献】
【特許文献】
【０００４】
【特許文献１】特開２００６−２５７８６８号公報
【考案の概要】
【考案が解決しようとする課題】
【０００５】  しかしながら、特許文献１に記載の超音波洗浄機能を有するシンクは、振動子がシンクボールの底面から離脱することを防ぐことができるが、加工コストが高くなる欠点があった。また、シンクボールに開孔して振動子を取り付けるため、取付孔からの水漏れが発生する恐れがあった。【０００６】  また、一般的に、シンクボールの底面中央部に排水孔が形成されており、振動子がその周辺に配置するしかないため、中央部の超音波が周辺より弱く、均一性が欠けている問題点があった。【０００７】  従って、本考案は従来技術の上述した問題点を解消するものであり、本考案の目的は、低コストで、かつ超音波の均一性を向上した超音波洗浄流し台を提供することにある。
【課題を解決するための手段】
【０００８】  本考案によれば、超音波洗浄流し台は、底面に排水口が形成された貯水槽からなるシンクと、シンクの底面又は側面に配置された複数の超音波振動子と、シンクの下方又は側方に配置され、超音波振動子を駆動する超音波発振器とを備え、超音波発振器は、シンクの下方又は側方に形成された収納部に収納され、該収納部は超音波振動子を覆うように形成されている。【０００９】  排水口は前記シンクの底面のほぼ中央部に形成され、シンクの底面は、周辺から中央に向かって下方へ所定角度に傾斜するように形成されている。【００１０】  シンクの底面又は側面の超音波振動子が配置すべく位置の表面が所定の表面粗さを有するように表面処理され、超音波振動子は、シンクの底面又は側面の表面に貼着される。【００１１】  シンクは、オーバーフローさせる溢水孔が形成されている。
【考案の効果】
【００１２】  本考案によれば、超音波洗浄流し台は、底面に排水口が形成された貯水槽からなるシンクと、シンクの底面又は側面に配置された複数の超音波振動子と、シンクの下方又は側方に配置され、超音波振動子を駆動する超音波発振器とを備え、シンクの下方又は側方に形成された収納部に収納され、該収納部は超音波振動子を覆うように形成されていることで、低コストで、かつ超音波の均一性を向上することができる。また、超音波洗浄機能を流し台に組み込むことで、通常の卓上型超音波洗浄機より注水、排水が便利になる。【００１３】  また、排水口はシンクの底面のほぼ中央部に形成され、シンクの底面は、周辺から中央に向かって下方へ所定角度で傾斜して形成されていることで、より均一な音場を形成することができ、均一な洗浄を実現できる。【００１４】  また、シンクの底面又は側面の超音波振動子が配置すべく位置の表面が所定の表面粗さを有するように表面処理され、超音波振動子は、シンクの底面又は側面の表面に貼着されることで、超音波振動子がシンクの底面から離脱することを防ぐことができると共に、加工コストを削減することができる。【００１５】  さらに、シンクは、洗浄液をオーバーフローさせる溢水口が形成されていることで、液面を一定に保つことができ、安定した超音波照射を実現し、より効率的な洗浄を図ることができる。
【図面の簡単な説明】
【００１６】
【図１】本考案の第１の実施形態における超音波洗浄流し台の構成を概略的に示す正面図である。
【図２】本考案の第１の実施形態における超音波洗浄流し台の構成を概略的に示す側面図である。
【図３】本考案の第１の実施形態における超音波洗浄流し台の構成を概略的に示す局部拡大断面図である。
【図４】本考案の第２の実施形態における超音波洗浄流し台の構成を概略的に示す図である。
【考案を実施するための形態】
【００１７】  以下、本考案に係る超音波洗浄流し台の実施形態を、図を参照して説明する。
【００１８】  図１は本考案の第１の実施形態における超音波洗浄流し台１００の構成を示している。図１及び図２に示すように、本実施形態の超音波洗浄流し台１００は、底面に排水口１３が形成された貯水槽１１からなるシンク１０と、シンク１０の底面に配置された複数の超音波振動子２０と、シンク１０の下方に配置され、超音波振動子２０を駆動する超音波発振器３０と、被洗浄物を格納する洗浄カゴ４０とを備えている。
【００１９】  シンク１０は、流し台の上面に取付けたステンレス板からなる貯水槽１１と、貯水槽１１の上縁寄りに溢水口１２と、貯水槽１１の底面に設けられた排水口１３とを備えている。排水口１３には排水管１４が接続されている。洗浄する際に、この排水口１３を閉止キャップで閉止することができる。また、溢水口１２は溢水管１２ａの一端が接続されており、溢水管１２ａ他端が配水管１４に接続されている。シンク１０の底面の超音波振動子２０が配置すべく位置の表面が所定の表面粗さを有するように表面処理されている。
【００２０】  排水口１３はシンク１０の底面のほぼ中央部に形成され、シンク１０の底面は、周辺から中央に向かって下方へ所定角度αで傾斜して形成されている。これにより、周りの超音波が中央部に照射し、かつ液面Ｌ均一な音場を形成することができ、均一な洗浄を実現できる。
【００２１】  超音波振動子２０は、例えば、ボルト締め型超音波振動子であり、接着剤でシンク１０の底面に貼着されている。超音波振動子２０の周波数が２０〜１２０ｋＨｚの範囲内の１つ又は複数の周波数であり、出力がシンク１０の寸法に合わせて、１００〜３０００Ｗである。
【００２２】  超音波発振器３０は、シンク１０の底面に装着された超音波振動子２０を覆う収納部３１の中に配置されている。収納部３１の前面にＯＮ−ＯＦＦスイッチ、タイマー設定ボタン（又はダイヤルタイマー）等が設けられている。また、箱３１の側面には、冷却用ファンが設けられている。
【００２３】  以上説明した実施の形態においては、超音波洗浄流し台１００は、底面に排水口１３が形成された貯水槽１１からなるシンク１０と、シンク１０の底面に配置された複数の超音波振動子２０と、シンク１０の下方に配置され、超音波振動子を駆動する超音波発振器３０とを備えていることで、低コストで、かつ超音波の均一性を向上することができる。また、超音波洗浄機能を流し台に組み込むことで、通常の卓上型超音波洗浄機より注水、排水が便利になる。
【００２４】  また、排水口１３はシンク１０の底面のほぼ中央部に形成され、シンク１０の底面は、周辺から中央に向かって下方へ所定角度αで傾斜して形成されていることで、より均一な音場を形成することができ、均一な洗浄を実現できる。
【００２５】  また、シンク１０の底面の超音波振動子２０が配置すべく位置の表面が所定の表面粗さを有するように表面処理され、超音波振動子２０は、シンク１０の底面に貼着されることで、超音波振動子２０がシンク１０の底面から離脱することを防ぐことができると共に、加工コストを削減することができる。
【００２６】  さらに、シンク１０は、洗浄液をオーバーフローさせる溢水口１２が形成されていることで、液面を一定に保つことができ、安定した超音波照射を実現し、より効率的な洗浄を図ることができる。
【００２７】  図２は本考案の第２の実施形態における超音波洗浄流し台２００の構成を示している。図４に示すように、本実施形態の超音波洗浄流し台２００は、底面に排水口１３が形成された貯水槽からなるシンク１０Ａと、シンク１０Ａの底面に配置された複数の超音波振動子２０と、シンク１０Ａの側方に配置され、超音波振動子２０を駆動する超音波発信器３０と、被洗浄物を格納する洗浄カゴ４０とを備えている。この超音波洗浄流し台２００は、超音波振動子２０がシンク１０Ａの側面に貼着され、超音波発信器３０は、シンタ１０Ａの側方の収納部３１に配置されている以外に、上述した超音波洗浄流し台１００と同様な構成を有している。
【００２８】  シンク１０Ａは、流し台の上面に取付けたステンレス板からなる貯水槽１１と、貯水槽１１の上縁寄りに溢水口１２と、貯水槽１１の底面に設けられた排水口１３とを備えている。排水口１３には排水管１４が接続されている。洗浄する際に、この排水口１３を閉止キャップで閉止することができる。また、溢水口１２は溢水管１２ａの一端が接続されており、溢水管１２ａ他端が配水管１４に接続されている。シンク１０Ａの側面の超音波振動子２０が配置すべく位置の表面が所定の表面粗さを有するように表面処理されている。
【００２９】  実施の形態の超音波洗浄流し台２００は、上述した超音波洗浄流し台１００と同様な効果をえることができる。
【００３０】  なお、上述した実施形態において、シンク１０及び１０Ａは、溢水口１２が設けられている構成例を説明したが、本考案はこれに限定されるものではなく、溢水口１２を設けなくてもよい。
【００３１】  また、上述した実施形態において、シンク１０の底面は、周辺から中央に向かって下方へ所定角度αで傾斜して形成されている構成例を説明したが、本考案はこれに限定されるものではない。
【００３２】  また、上述した実施形態において、超音波振動子２０は、シンク１０の底面又は側面の表面に貼着される構成例を説明したが、本考案はこれに限定されるものではない。例えば、接着剤に加えて、シンク１０の底面又は側面に溶接したスタッドボルトを用いて固着するようにしてもよい。この場合、接着強度を向上することができる。
【００３３】  また、シンク１０の底面又は側面に洗浄液を加熱するためのヒータ又は騒音を減衰させるための吸音材を配置するようにしてもよい。
【産業上の利用可能性】
【００３４】  本考案は、機械加工部品、実験用ガラス器具の洗浄、レストランなどでの食器、調理具、野菜、果物等の洗浄に利用できる。
【符号の説明】
【００３５】  １０、１０Ａ  シンク
１１  貯水槽
１２  溢水口
１２ａ  溢水管
１３  排水口
１４  排水管
２０  超音波振動子
３０  超音波発振器
３１  収納部
４０  洗浄カゴ
１００、２００  超音波洗浄流し台
0003187670.tif 000003
【手続補正書】
【提出日】平成25年9月19日(2013.9.19)
【手続補正１】
【補正対象書類名】図面
【補正対象項目名】全図
【補正方法】追加
【補正の内容】
【図１】
0003187670.tif 000004
【図２】
0003187670.tif 000005
【図３】
0003187670.tif 000006
【図４】
0003187670.tif 000007